(57)【要約】      （修正有）【課題】塊があったり粘性を有する土砂等のふるい処理が良好に行われるバケット装置を提供する。【解決手段】バケット装置１は、外方に略放射状に突出する複数の突起部を備える複数個の環状押し片１３が、所定の隙間を有するように軸体１０に挿通固定されて構成される複数本の回転作動体９が、バケット本体２の排出側開口７に上下方向に沿って隣接して、環状押し片１３それぞれが互いの隙間それぞれに位置するように配置され、駆動部４により回転作動体９のそれぞれが回転作動されることで、バケット本体２内の物体を排出側開口７から排出する。【選択図】図１
0003219874.tif 000002
【実用新案登録請求の範囲】
【請求項１】
外方に略放射状に突出する複数の突起部を備える複数個の環状押し片が、所定の隙間を有するように軸体に挿通固定されて構成される複数本の回転作動体が、
バケット本体の排出側開口に上下方向に沿って隣接して、前記環状押し片それぞれが前記互いの隙間それぞれに位置するように配置され、
駆動部により前記回転作動体のそれぞれが回転作動されることで、前記バケット本体内の物体を前記排出側開口から排出することを特徴とするバケット装置。
【請求項２】
前記回転作動体それぞれの端部に一対のスプロケットが取り付けられ、前記隣接する前記回転作動体においてスプロケットそれぞれが互いにチェーンにより連結され、前記回転作動体のそれぞれが順次連動作動される請求項１記載のバケット装置。
【請求項３】
前記一対のスプロケットがその径を異にし、前記隣接する前記回転作動体において上段に位置する前記回転作動体の大径のスプロケットと下段に位置する前記回転作動体の小径のスプロケットが前記チェーンにより連結される請求項２記載のバケット装置。
【請求項４】
前記回転作動体のそれぞれの端部に１個のスプロケットが取り付けられ、前記隣接する前記回転作動体においてスプロケットそれぞれが互いに１本のチェーンにより連結され、その途中にテンション用スプロケットが配置されている請求項１記載のバケット装置。
【考案の詳細な説明】
【技術分野】
【０００１】  この考案は、ショベルカーのアームに接続使用されるバケット装置に関する。
【背景技術】
【０００２】  建設現場等においては土砂等をふるい処理する場合があり、そのふるい処理を手作業で行うと多大な手間がかかる。したがって、従来においては、例えば、ショベルカーのアームに接続使用されるバケットに網状のフィルター部材を搖動可能に設けるとともに、そのフィルター部材をバケットに装着されたモータにより搖動させ、土砂をフィルター部材を通過落下させるようにしてふるい処理を行っていた。
【考案の概要】
【考案が解決しようとする課題】
【０００３】  しかしながら、上記のように搖動により土砂をふるい処理する場合、土砂に塊があったり、粘性を有する場合はそれらがフィルターを通過せず、ふるい処理が良好に行われない問題があった。【０００４】  この考案は上記の事情に鑑みて行ったもので、土砂等のふるい処理が良好に行われるバケット装置を提供することを目的とする。
【課題を解決するための手段】
【０００５】  この考案では、外方に略放射状に突出する複数の突起部を備える複数個の環状押し片が、所定の隙間を有するように軸体に挿通固定されて構成される複数本の回転作動体が、バケット本体の排出側開口に上下方向に沿って隣接して、前記環状押し片それぞれが前記互いの隙間それぞれに位置するように配置され、駆動部により前記回転作動体のそれぞれが回転作動されることで、前記バケット本体内の物体を前記排出側開口から排出することを特徴とするバケット装置を提供する。【０００６】  上記構成によれば、回転作動体のそれぞれが回転されると、隣接する回転作動体の環状押し片それぞれの突起部それぞれが、互いに環状押し片間の隙間それぞれに土砂を押し込み、排出側開口から押し出して排出する。その際に、土砂の塊は粉砕され、また、粘性のある土砂も隙間から押し出されて排出され、小形となった土砂がふるい出される。【０００７】  回転作動体それぞれの端部に一対のスプロケットが取り付けられ、隣接する回転作動体においてスプロケットそれぞれが互いにチェーンにより連結され、回転作動体のそれぞれが順次連動作動されることで、１個の駆動部によってすべての回転作動体が回転作動される。【０００８】  とくに、一対のスプロケットがその径を異にし、隣接する回転作動体において上段に位置する回転作動体の大径のスプロケットと下段に位置する回転作動体の小径のスプロケットがチェーンにより連結される構成とされることで、下段側の回転作動体の方が上段側の回転作動体より順次回転速度が高くなり、バケット本体内に取り入れられた土砂が下部の方から排出されていく。【０００９】  また、バケット装置は回転作動体のそれぞれの端部に１個のスプロケットが取り付けられ、隣接する回転作動体においてスプロケットそれぞれが互いに１本のチェーンにより連結され、その途中にテンション用スプロケットが配置される構成とされてもよい。
【考案の効果】
【００１０】  この考案によれば、土砂に塊があったり粘性を有する場合にも、ふるい処理が良好に行われるバケット装置が得られる。
【図面の簡単な説明】
【００１１】
【図１】  この考案のバケット装置の実施形態の正面構成図
【図２】  この考案のバケット装置の実施形態の側面構成図
【図３】  この考案のバケット装置の実施形態の環状押し片の側面図
【図４】  この考案のバケット装置の実施形態の環状押し片の配置説明図
【図５】  この考案のバケット装置の異なる実施形態の正面構成図
【図６】  この考案のバケット装置の異なる実施形態の側面構成略図
【図７】  この考案のバケット装置のさらに異なる実施形態の正面構成図
【図８】  この考案のバケット装置のさらに異なる実施形態の側面構成略図
【考案を実施するための形態】
【００１２】  図１はこの考案のバケット装置の実施形態の正面構成図、図２は同側面構成図である。バケット装置１はバケット本体２と、バケット本体２をショベルカーのアームに取り付けるブラケット５とから構成されている。バケット本体２の上部の一方には油圧モータ（駆動部）４が設置され、バケット本体２の油圧モータ４が設けられた外側面には上部から下部に至って湾曲形状のチェーンケース３が付設されている（図１はチェーンケース３の内部が見えるように描いている）。油圧モータ４のチェーンケース３内に突出する駆動軸には一列のスプロケット６を備えるスプロケット部材８が装着されている。
【００１３】  バケット本体２の排出側開口７には上下方向に沿って隣接して５本の回転作動体９（図１において一転鎖線より右側部分の図示を省略している）が配置されている。回転作動体９は、図３、図４に示すように、外方に湾曲して放射状に突出する複数の突起部１１を備える複数個の樹脂製の環状押し片１３が、互いに所定の隙間を有するように鉄製軸体１０に挿通固定されて構成されている。回転作動体９は、環状押し片１３のそれぞれが隣接するものにおいて突起部１１が異なる回転角度位置となるように取り付けられて構成されている。回転作動体９のそれぞれは、環状押し片１３の突起部１１が互いの隙間１２に位置するように隣接配置されている。
【００１４】  回転作動体９の軸体１０それぞれの一方側端部はチェーンケース３内に突出し、それら端部にはスプロケット部材１５のそれぞれが装着されている。上部の４個の太巾のスプロケット部材１５には一対２列の同径のスプロケット１７が設けられ、最下段の細巾のスプロケット部材１５には１列のスプロケット１７が設けられている。
【００１５】  ２０のそれぞれはチェーンであり、油圧モータ４により駆動回転されるスプロケット部材８のスプロケット６と最上段の回転作動体９のスプロケット部材１５の内側のスプロケット１７とに、最上段の回転作動体９のスプロケット部材８の外側のスプロケット６と２段目の回転作動体９のスプロケット部材１５の外側のスプロケット１７とに、２段目の回転作動体９のスプロケット部材１５の内側のスプロケット１７と３段目の回転作動体９のスプロケット部材１５の内側のスプロケット１７とに、３段目の回転作動体９のスプロケット部材１５の外側のスプロケット１７と４段目の回転作動体９のスプロケット部材１５の外側のスプロケット１７とに、４段目の回転作動体９のスプロケット部材１５の内側のスプロケット１７と最下段の回転作動体９のスプロケット部材１５のスプロケット１７とに、それぞれ掛けられて設けられている。上記の構成により、油圧モータ４が作動されてスプロケット部材８が回転されることで、各チェーン２０によって上段から下段のスプロケット部材１５が順次回転し、これにより回転作動体９のそれぞれが回転する。
【００１６】  以下、バケット装置１における土砂のふるい動作を説明する。バケット本体２前面の取入れ開口２２から土砂が取り入れられ、シャベルのオペレータによりバケット装置１がその排出側開口７を下側となるように斜め状態とされる。その状態において油圧モータ４が作動されて回転作動体９のそれぞれがともに反時計方向に回転作動される。これにより、回転作動体９それぞれの環状押し片１３それぞれの突起部１１それぞれが、隙間１２それぞれに土砂を押し込み、排出側開口７から押し出して排出する。その際に、土砂の塊は粉砕され、また、粘性のある土砂も隙間１２から押し出されて排出され、小形となった土砂がふるい出される。環状押し片１３のそれぞれが隣接するものにおいて突起部１１が異なる回転角度位置となるように取り付けられていることで、上記の粉砕、排出動作が良好に行われる。
【００１７】  図５、図６は異なる実施形態を示す。この実施形態においては２段目から４段目までの回転作動体９それぞれにおける３個のスプロケット部材１５において、一対のスプロケット１７の径を異にしている。２段目のスプロケット部材１５においては外側のスプロケット１７を小径とし、３段目のスプロケット部材１５においては内側のスプロケット１７を小径とし、４段目のスプロケット部材１５においては外側のスプロケット１７を小径とし、かつ、５段目のスプロケット部材１５のスプロケット１７の径を小さくしている。そして、最上段のスプロケット部材１５の大径のスプロケット１７と２段目のスプロケット部材１５の小径のスプロケット１７とに、２段目のスプロケット部材１５の大径のスプロケット１７と３段目のスプロケット部材１５の小径のスプロケット１７とに、３段目のスプロケット部材１５の大径のスプロケット１７と４段目のスプロケット部材１５の小径のスプロケット１７とに、４段目のスプロケット部材１５の大径のスプロケット１７と最下段のスプロケット部材１５の小径のスプロケット１７とに、チェーン２０のそれぞれがかけられている。
【００１８】  上記構成により、油圧モータ４が作動されると下段側のスプロケット部材１５が上段側のスプロケット部材より１５より回転数が増大され、これにともなって下段側の回転作動体９の方が上段側の回転作動体９より順次回転速度が高くなる。これにより、バケット本体２内に取り入れられた土砂が下部の方から大量に排出される。通常、バケット本体２内に取り入れられた土砂は下部が嵩高となるので、排出効率が向上される。
【００１９】  図７、図８はさらに異なる実施形態を示す。この実施形態においては１本のチェーン３０をすべてのスプロケット部材１５のスプロケット１７に連続して掛けて回転作動体９それぞれを回転作動させる構成としている。３２のそれぞれはテンション用スプロケットである。
【符号の説明】
【００２０】  １    バケット装置
２    バケット本体
４    油圧モータ（駆動部）
７    排出側開口
９    回転作動体
１０  軸体
１１  突起部
１３  環状押し片
【図１】
0003219874.tif 000003
【図２】
0003219874.tif 000004
【図３】
0003219874.tif 000005
【図４】
0003219874.tif 000006
【図５】
0003219874.tif 000007
【図６】
0003219874.tif 000008
【図７】
0003219874.tif 000009
【図８】
0003219874.tif 000010